(57)【特許請求の範囲】
【請求項１】
浴槽内の使用者の身体上に載置されることにより、使用者の身体の浮き上がりを防止するための入浴介助補助具であって、
浴槽内の使用者を幅方向に横切るように使用者の身体上又は身体下に配される中央錘部材と、
前記中央錘部材の両端部にそれぞれ着脱自在に取り付けられる一対の側部錘部材と
を備え、
前記一対の側部錘部材は、それぞれ、前記中央錘部材に対して屈曲可能に構成されており、
前記中央錘部材及び前記一対の側部錘部材には、水よりも比重の重い材料から形成された充填材が充填されている
ことを特徴とする入浴介助補助具。
【請求項２】
前記中央錘部材及び前記一対の側部錘部材は、少なくとも一部に、他の部位よりも通気性を有するメッシュ部が形成されている
ことを特徴とする請求項１に記載の入浴介助補助具。
【請求項３】
前記中央錘部材は、一端部に雄型連結部が設けられると共に、他端部に雌型連結部が設けられ、
前記一対の側部錘部材の一方には、前記中央錘部材の前記雄型連結部と連結可能な雌型連結部が設けられ、
前記一対の側部錘部材の他方には、前記中央錘部材の前記雌型連結部と連結可能な雄型連結部が設けられている
ことを特徴とする請求項１又は２に記載の入浴介助補助具。
【発明の詳細な説明】
【技術分野】
【０００１】
本発明は、介護を要する高齢者や患者等の被介護者の入浴時に使用するための入浴介助補助具に関するものである。
【背景技術】
【０００２】
従来、介護を要する高齢者や患者等の被介護者の入浴には、被介護者を横臥させた状態で浴槽内に搬入される入浴用担架が用いられている（特許文献１）。特許文献１の入浴用担架は、被介護者の脚を上方から押さえる円弧状の脚固定具が左右一対設けられており、該左右一対の脚固定具によって被介護者の両脚を入浴用担架に固定することで、入浴時の浮力によって被介護者の両脚が浮かび上がらないよう構成されている。
【先行技術文献】
【特許文献】
【０００３】
【特許文献１】特開平７−２５５８１１号
【発明の概要】
【発明が解決しようとする課題】
【０００４】
しかしながら、特許文献１の入浴用担架は、浮力によって浮かび上がろうとする被介護者の両脚を堅硬な脚固定具によって強制的に押さえ付けるものであるため、被介護者に肉体的な苦痛を与えるおそれがあるという問題がある。特に、骨粗鬆症の症状を有する被介護者の場合には、健常者よりも浮力が強く、かつ、健常者よりも骨強度が低いため、被介護者に与える肉体的な苦痛が大きいという問題がある。また、特許文献１の入浴用担架は、脚固定具によって入浴用担架に両脚を固定させるものであるため、拘束感が強く、被介護者に精神的な苦痛を与えるおそれがあるという問題がある。さらに、特許文献１の入浴用担架は、例えば脚に拘縮の症状を有する被介護者のように、脚を伸ばすことができない被介護者に対しては用いることができないという問題がある。
【０００５】
本発明は、様々な症状を有する被介護者に広く用いることが可能で、かつ、肉体的及び精神的な苦痛を軽減させることが可能な入浴介助補助具を提供することを目的とする。
【課題を解決するための手段】
【０００６】
上記の目的を達成するため、本発明に係る入浴介助補助具は、浴槽内の使用者の身体上に載置されることにより、使用者の身体の浮き上がりを防止するための入浴介助補助具であって、浴槽内の使用者を幅方向に横切るように使用者の身体上又は身体下に配される中央錘部材と、前記中央錘部材の両端部にそれぞれ着脱自在に取り付けられる一対の側部錘部材とを備え、前記一対の側部錘部材は、それぞれ、前記中央錘部材に対して屈曲可能に構成されており、前記中央錘部材及び前記一対の側部錘部材には、水よりも比重の重い材料から形成された充填材が充填されていることを特徴とする。
【０００７】
本発明に係る入浴介助補助具において、前記中央錘部材及び前記一対の側部錘部材は、少なくとも一部に、他の部位よりも通気性を有するメッシュ部が形成されることが好ましい。
【０００８】
また、本発明に係る入浴介助補助具において、前記中央錘部材は、一端部に雄型連結部が設けられると共に、他端部に雌型連結部が設けられ、前記一対の側部錘部材の一方には、前記中央錘部材の前記雄型連結部と連結可能な雌型連結部が設けられ、前記一対の側部錘部材の他方には、前記中央錘部材の前記雌型連結部と連結可能な雄型連結部が設けられることが好ましい。
【発明の効果】
【０００９】
本発明によれば、様々な症状を有する被介護者に広く用いることが可能で、かつ、肉体的及び精神的な苦痛を軽減することが可能な入浴介助補助具を提供することができる。
【図面の簡単な説明】
【００１０】
【図１】図１（ａ）は、本発明の第１実施形態に係る入浴介助補助具の概略構成を示す正面斜視図であり、図１（ｂ）は、第１実施形態に係る入浴介助補助具の概略構成を示す平面図である。
【図２】入浴介助補助具の概略構成を一部切り欠いて示す正面図である。
【図３】図３（ａ）は、入浴介助補助具の連結部を平面側から見た状態を示す拡大斜視図であり、図３（ｂ）は、入浴介助補助具の連結部を底面側から見た状態を示す拡大斜視図である。
【図４】図４（ａ）は、第１実施形態に係る入浴介助補助具の第１の使用方法を示す平面図であり、図４（ｂ）は、第１の使用方法を示す正面図である。
【図５】図５（ａ）は、第１実施形態に係る入浴介助補助具の第２の使用方法を示す平面図であり、図５（ｂ）は、第２の使用方法を示す正面図である。
【図６】図６（ａ）は、第１実施形態に係る入浴介助補助具の第３の使用方法を示す平面図であり、図６（ｂ）は、第３の使用方法を示す正面図である。
【図７】図７（ａ）は、第１実施形態に係る入浴介助補助具の第４の使用方法を示す平面図であり、図７（ｂ）は、第４の使用方法を示す正面図である。
【図８】本発明の第２実施形態に係る入浴介助補助具の第１の連結態様を示す正面斜視図である。
【図９】第２実施形態に係る入浴介助補助具の第２の連結態様を示す正面斜視図である。
【発明を実施するための形態】
【００１１】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１２】
［第１実施形態］
本発明の第１実施形態に係る入浴介助補助具１は、図１に示すように、中央に配される横長の中央錘部材１０と、中央錘部材１０の両端部にそれぞれ着脱自在に取り付けられる一対の側部錘部材（左側部錘部材２０及び右側部錘部材３０）とを備えており、全体として、左右方向が長手方向となる長方形状を有している。
【００１３】
中央錘部材１０は、図１に示すように、左右方向に長尺で、かつ、左側縁部１０ａ及び右側縁部１０ｂが上縁部１０ｃ及び下縁部１０ｄに対して互いに平行に傾いた略平行四辺形の全体形状を有している。中央錘部材１０は、被介護者６を浴槽２内で支持する入浴用ベッド４の幅方向と略等しい長手方向の長さを有しており、浴槽２内の被介護者６を幅方向に横切るように被介護者６の身体上又は身体下に配されることが可能に構成されている（図４等参照）。中央錘部材１０は、図１及び図２に示すように、表地１２側及び裏地１４側に突出する山部（肉厚部）１６と、山部１６よりも肉薄な谷部（肉薄部）１８とが長手方向に交互に複数連続した凸凹形状、本実施形態では７つの山部１６と６つの谷部１８とが交互に連続した凸凹形状を有している。
【００１４】
各山部１６は、中央錘部材１０の短手方向（長手方向と直交する方向）の略全域に亘って延びる略円柱形状を有しており、その内部に充填材４０が充填されている。各谷部１８は、隣接する山部１６，１６間に形成され、中央錘部材１０の短手方向の略全域に亘って延びる略平坦な形状を有しており、山部１６よりも充填材４０の量を少なくするか、または充填材４０を充填しないことにより、山部１６よりも肉薄に形成されている。表地１２及び裏地１４は、その周縁全域が縫合されると共に、山部１６と谷部１８との境界部分がそれぞれ縫合されている。このように、山部１６と谷部１８との境界部分がそれぞれ縫合されることにより、山部１６から谷部１８への充填材４０の移動を防止することが可能となるため、中央錘部材１０の内部における充填材４０の片寄りを防止することができる。また、このように、中央錘部材１０が山部１６と谷部１８とが交互に連続した凸凹形状を有することにより、被介護者６の身体の形状にフィットするように中央錘部材１０が湾曲可能であると共に、例えば図７に例示したように、中央錘部材１０をＳ字に湾曲させて被介護者６の身体に巻き付けるような種々の使用態様を実現することが可能となる。
【００１５】
中央錘部材１０の左側縁部１０ａには、左側部錘部材２０の後述する雄型連結部２６と連結可能な雌型連結部１９ａが複数（本実施形態では３つ）設けられており、中央錘部材１０の右側縁部１０ｂには、右側部錘部材３０の後述する雌型連結部３６と連結可能な雄型連結部１９ｂが複数（本実施形態では３つ）設けられている。各雌型連結部１９ａは、ループ状となるように一端部及び他端部が左側縁部１０ａに縫合された紐状部材から形成されている。各雄型連結部１９ｂは、一端部が右側縁部１０ｂに縫合された帯状部材と、この帯状部材を二つ折りにした際の重ね合わせ部位に設けられたスナップボタンとから構成されており、右側部錘部材３０の雌型連結部３６に帯状部材を挿通させて二つ折りした状態においてスナップボタンを止めることで、右側部錘部材３０の雌型連結部３６に係止するよう構成されている。
【００１６】
左側部錘部材２０は、図１に示すように、互いに平行な上縁部２０ｃ及び下縁部２０ｄと、上縁部２０ｃ及び下縁部２０ｄに対して垂直な左側縁部２０ａと、中央錘部材１０の左側縁部１０ａと略平行となるよう上縁部２０ｃから下縁部２０ｄに向けて傾斜して延びる右側縁部２０ｂとを有する略逆台形形状の全体形状を有している。左側部錘部材２０は、中央錘部材１０の長手方向の長さよりも短い長手方向の長さを有し、かつ、中央錘部材１０の短手方向と略等しい短手方向の長さを有している。左側部錘部材２０は、図１及び図２に示すように、表地２２及び裏地２４の周縁全域が縫合されると共に、中央錘部材１０よりも肉厚となるよう、その内部に充填材４０が充填されることにより形成されている。
【００１７】
左側部錘部材２０の右側縁部２０ｂには、図１〜図３に示すように、中央錘部材１０の雌型連結部１９ａと連結可能な雄型連結部２６が、中央錘部材１０の雌型連結部１９ａと同数設けられている。各雄型連結部２６は、中央錘部材１０の雄型連結部１９ｂと同様に、一端部が右側縁部２０ｂに縫合された帯状部材と、この帯状部材を二つ折りにした際の重ね合わせ部位に設けられたスナップボタンとから構成されており、中央錘部材１０の雌型連結部１９ａに帯状部材を挿通させて二つ折りした状態においてスナップボタンを止めることで、中央錘部材１０の雌型連結部１９ａに係止するよう構成されている。
【００１８】
左側部錘部材２０の左側縁部２０ａには、一端部及び他端部が左側縁部２０ａに縫合されたループ状部材２８が一対設けられている。このように一対のループ状部材２８が設けられることにより、左側部錘部材２０を干す作業が容易となる。
【００１９】
右側部錘部材３０は、図１に示すように、互いに平行な上縁部３０ｃ及び下縁部３０ｄと、中央錘部材１０の右側縁部１０ｂと略平行となるよう上縁部３０ｃから下縁部３０ｄに向けて傾斜して延びる左側縁部３０ａと、上縁部３０ｃ及び下縁部３０ｄに対して垂直な右側縁部３０ｂとを有する略台形形状の全体形状を有している。右側部錘部材３０は、中央錘部材１０の長手方向の長さよりも短い長手方向の長さを有し、かつ、中央錘部材１０の短手方向と略等しい短手方向の長さを有している。右側部錘部材３０は、図１及び図２に示すように、表地３２及び裏地３４の周縁全域が縫合されると共に、中央錘部材１０よりも肉厚となるよう、その内部に充填材４０が充填されることにより形成されている。
【００２０】
右側部錘部材３０の左側縁部３０ａには、中央錘部材１０の雄型連結部１９ｂと連結可能な雌型連結部３６が、中央錘部材１０の雄型連結部１９ｂと同数設けられている。各雌型連結部３６は、中央錘部材１０の雌型連結部１９ａと同様に、ループ状となるように一端部及び他端部が左側縁部３０ａに縫合された紐状部材から形成されている。
【００２１】
中央錘部材１０、左側部錘部材２０及び右側部錘部材３０の表地１２，２２，３２は、例えば綿とポリエステルの混合素材等の通液性を有する布地から形成されている。このような表地１２，２２，３２としては、例えば、触り心地に優れた生地からなる表生地と、一又は複数のメッシュ生地からなる裏生地とからなる立体メッシュ構造を有するものを好適に用いることが可能である。このような立体メッシュ構造を有する布地を採用することにより、触り心地、緩衝性（クッション性）、通気性、吸水性及び脱水性に優れたクッション部材とすることができる。裏地１４，２４，３４は、図１〜図３に示すように、ポリエステル等の通液性及び速乾性を有するネット状のメッシュ生地から形成されている。表地１２，２２，３２及び裏地１４，２４，３４には、それぞれ抗菌（防カビ）加工が施されている。
【００２２】
充填材４０は、例えば中空パイプ状に形成された中材であり、水よりも比重の重い材料から形成されている。このような水よりも比重の重い材料としては、例えば、低密度ポリエチレン等の比重が１未満の材料に対し、例えば炭酸カルシウム等の比重が１よりも大きい材料や、抗菌剤（防カビ剤）等を含有（添加）させることにより、比重が１より大きくなるように調整された材料を用いることができる。中空パイプ状の充填材４０としては、例えば、直径及び軸方向長さが数ｍｍ程度、具体的には直径が５ｍｍ程度で軸方向長さが５ｍｍ程度の比較的小型の円筒パイプを用いることが可能である。なお、充填材４０は、水よりも比重の重い材料から形成されるものであれば、中空パイプ状の中材の他、ビーズや綿状繊維等の種々の部材を用いることが可能であるが、入水時における空気抜けや退水時における水抜け等の観点から、中空パイプ状の中材を用いることが好ましい。
【００２３】
本実施形態に係る入浴介助補助具１は、中央錘部材１０の雌型連結部１９ａに左側部錘部材２０の雄型連結部２６が取り付けられ、中央錘部材１０の雄型連結部１９ｂが右側部錘部材３０の雌型連結部３６に取り付けられることにより組み立てられる。入浴介助補助具１において、中央錘部材１０と左側部錘部材２０との連結部（雌型連結部１９ａ及び雄型連結部２６）並びに中央錘部材１０と右側部錘部材３０との連結部（雄型連結部１９ｂ及び雌型連結部３６）は、それぞれ柔軟な部材で構成されているため、中央錘部材１０に対して左側部錘部材２０及び右側部錘部材３０がそれぞれ屈曲可能に構成されている。
【００２４】
このような入浴介助補助具１によれば、充填材４０が水よりも比重の重い材料から形成されていることにより、水中にスムーズに沈むことができるため、入浴時における身体の浮き上がりを防止するための補助具として使用することが可能である。以下、本実施形態に係る入浴介助補助具１の使用方法について、図４〜図７を用いて例示する。なお、図４〜図７の各図において、（ａ）は、横臥した被介護者６を上方（平面方向）から見た状態を示す概略図であり、（ｂ）は、横臥した被介護者６を足元から見た状態を示す概略図である。また、本実施形態に係る入浴介助補助具１の使用方法は、これらの使用例に限定されるものではなく、様々な態様で使用することが可能である。
【００２５】
まず、本実施形態に係る入浴介助補助具１の第１の使用方法について、図４を用いて説明する。第１の使用方法は、図４（ａ）及び図４（ｂ）に示すように、入浴用ベッド４上に横臥した状態の被介護者６を幅方向に横切るように被介護者６の身体上に中央錘部材１０が載置され、入浴用ベッド４と浴槽２の内壁との間に左側部錘部材２０及び右側部錘部材３０がそれぞれ垂下するよう配された入浴介助補助具１によって、被介護者６の身体の浮き上がりを防止する方法である。このような第１の使用方法によれば、入浴用ベッド４上に横臥した状態の被介護者６を横切るように被介護者６の身体上に中央錘部材１０を載置させるという簡単な作業のみで、被介護者６の身体の浮き上がりを防止することが可能となる。
【００２６】
次に、本実施形態に係る入浴介助補助具１の第２の使用方法について、図５を用いて説明する。第２の使用方法は、図５（ａ）及び図５（ｂ）に示すように、入浴用ベッド４上に横臥した状態の被介護者６を横切るように被介護者６の身体の下（被介護者６と入浴用ベッド４との間）に載置された中央錘部材１０と、被介護者６の身体上に位置するよう中央錘部材１０に対して屈曲された左側部錘部材２０及び右側部錘部材３０とによって被介護者６の身体を包み込むことで、被介護者６の身体の浮き上がりを防止する方法である。このような第２の使用方法によっても、第１の使用方法と同様に、簡単な作業のみで被介護者６の身体の浮き上がりを防止することが可能となる。
【００２７】
次に、本実施形態に係る入浴介助補助具１の第３の使用方法について、図６を用いて説明する。第３の使用方法は、図６（ａ）及び図６（ｂ）に示すように、拘縮等の症状により脚を伸ばすことができない被介護者６に対して入浴介助補助具１を用いる場合の使用方法である。具体的には、入浴用ベッド４上に横臥した状態の被介護者６を横切るように被介護者６の脚上に載置された中央錘部材１０と、被介護者６の脚の下（被介護者６の脚と入浴用ベッド４との間）に位置するよう中央錘部材１０に対して屈曲された左側部錘部材２０及び右側部錘部材３０とによって被介護者６の脚を包み込むことで、被介護者６の身体の浮き上がりを防止する方法である。このような第３の使用方法によっても、第１及び第２の使用方法と同様に、簡単な作業のみで被介護者６の身体の浮き上がりを防止することが可能となる。また、第３の使用方法によれば、脚を伸ばすことができない被介護者６に対しても対応することが可能となる。
【００２８】
最後に、本実施形態に係る入浴介助補助具１の第４の使用方法について、図７を用いて説明する。第４の使用方法は、第３の使用方法と同様に、脚を伸ばすことができない被介護者６に対して入浴介助補助具１を用いる場合の使用方法である。具体的には、第４の使用方法は、図７（ａ）及び図７（ｂ）に示すように、一方の脚６ａの下に一方の側部錘部材（右側部錘部材３０）が配されると共に、他方の脚６ｂの上に他方の側部錘部材（左側部錘部材２０）が配され、一方の脚６ａの上及び他方の脚６ｂの下を通るよう中央錘部材１０が略Ｓ字状に屈曲された入浴介助補助具１によって、被介護者６の身体の浮き上がりを防止する方法である。このような第４の使用方法によっても、第１〜第３の使用方法と同様に、簡単な作業のみで被介護者６の身体の浮き上がりを防止することが可能となり、また、第３の使用方法と同様に、脚を伸ばすことができない被介護者６に対しても対応することが可能となる。
【００２９】
以上のように、本実施形態に係る入浴介助補助具１は、浴槽２内の使用者（被介護者６）の身体上に載置されることにより、使用者６の身体の浮き上がりを防止するための入浴介助補助具（入浴介助用クッション）１であって、浴槽２内の使用者６を横切るように使用者６の身体上又は身体下に配される中央錘部材（中央クッション体）１０と、中央錘部材１０の両端部にそれぞれ着脱自在に取り付けられる一対の側部錘部材（右側部クッション体及び左側部クッション体）２０，３０とを備え、一対の側部錘部材２０，３０は、それぞれ、中央錘部材１０に対して屈曲可能に構成されており、中央錘部材１０及び一対の側部錘部材２０，３０には、水よりも比重の重い材料から形成された充填材４０が充填されている。
【００３０】
このような入浴介助補助具１によれば、充填材４０が水よりも比重の重い材料から形成されることにより、水中にスムーズに沈むことが可能であるため、入浴時に使用者６の身体上に載置させることにより、使用者６の身体の浮き上がりを防止することが可能である。
【００３１】
特に、本実施形態に係る入浴介助補助具１によれば、クッション性を有する柔らかい入浴介助補助具１を使用者６の身体上に載置させるのみで浮き上がり防止効果を発揮させることが可能であり、従来のような脚固定具等を用いる必要がないため、従来の脚固定具等を用いる方法と比較して、肉体的及び精神的な苦痛を飛躍的に軽減させることが可能となる。
【００３２】
また、本実施形態に係る入浴介助補助具１によれば、中央錘部材１０と一対の側部錘部材２０，３０とを備えることにより、使用者６の脚に巻き付けて使用することが可能となるため、例えば、脚を伸ばすことができない拘縮等の症状を有する使用者６に対しても問題無く対応することが可能である。
【００３３】
さらに、本実施形態に係る入浴介助補助具１によれば、中央錘部材１０に対して一対の側部錘部材２０，３０が着脱自在であることにより、中央錘部材１０及び一対の側部錘部材２０，３０が浴槽２内の水を吸って重くなった場合であっても、浴槽２内において中央錘部材１０と一対の側部錘部材２０，３０とを分離して、それぞれ別々に浴槽２内から取り出すことが可能となるため、作業性に優れるという利点を有する。また、本実施形態に係る入浴介助補助具１によれば、中央錘部材１０と一対の側部錘部材２０，３０とを分離して保管することが可能となるため、保管スペースを抑えることが可能という利点を有する。
【００３４】
また、本実施形態に係る入浴介助補助具１は、中央錘部材１０及び一対の側部錘部材２０，３０が、それぞれ少なくとも一部に、他の部位よりも通気性を有するメッシュ部（裏地１４，２４，３４）が形成されている。このような入浴介助補助具１によれば、入浴介助補助具１内の空気や水をメッシュ部（裏地１４，２４，３４）を介してスムーズに入浴介助補助具１外に排出することができるため、入水時における入浴介助補助具１の浮き上がりを一層抑制することができると共に、入浴介助補助具１の脱水効率を一層向上させることができる。
【００３５】
さらに、本実施形態に係る入浴介助補助具１は、中央錘部材１０の一端部（右側縁部１０ｂ）に雄型連結部１９ｂが設けられると共に、他端部（左側縁部１０ａ）に雌型連結部１９ａが設けられ、一対の側部錘部材の一方（右側部錘部材３０）には、中央錘部材１０の雄型連結部１９ｂと連結可能な雌型連結部３６が設けられ、一対の側部錘部材の他方（左側部錘部材２０）には、中央錘部材１０の雌型連結部１９ａと連結可能な雄型連結部２６が設けられている。このような入浴介助補助具１によれば、左側部錘部材２０の雄型連結部２６を右側部錘部材３０の雌型連結部３６に直接連結させることが可能となり、例えば中央錘部材１０を排した状態で使用することも可能となるため、より一層、様々な態様で使用することが可能となる。
【００３６】
以上、本発明の好適な実施形態について説明したが、本発明の技術的範囲は、上述した実施形態に記載の範囲には限定されない。上記各実施形態には、多様な変更又は改良を加えることが可能である。
【００３７】
［第２実施形態］
例えば、上述の実施形態では、中央錘部材１０が平面視で略平行四辺形の全体形状を有するものとして説明したが、これに限定されず、中央錘部材１０の形状は任意に設定することが可能である。図８及び図９は、本発明の第２実施形態に係る入浴介助補助具１´を示している。
【００３８】
第２実施形態に係る入浴介助補助具１´において、中央錘部材１０´は、図８に示すように、平面視で台形形状に形成されており、その左側縁部１０ａ´及び右側縁部１０ｂ´の双方に雌型連結部１９ａ´，１９ｂ´を有している。左側部錘部材２０´及び右側部錘部材３０´は、台形形状に形成されており、図８に示すように、左右対称な形状を有している。左側部錘部材２０´の右側縁部２０ｂ´には、中央錘部材１０´の雌型連結部１９ａ´，１９ｂ´と連結可能な雄型連結部２６´が設けられている。右側部錘部材３０´の左側縁部３０ａ´には、中央錘部材１０´の雌型連結部１９ａ´，１９ｂ´と連結可能な雄型連結部３６´が設けられている。左側部錘部材２０´の左側縁部２０ａ´及び右側部錘部材３０´の右側縁部３０ｂ´には、第１実施形態に係る左側部錘部材２０のループ状部材２８と同様のループ状部材２８´，３８´がそれぞれ設けられている。
【００３９】
このような第２実施形態に係る入浴介助補助具１´によれば、図８に示すように、中央錘部材１０´の左側縁部１０ａ´の雌型連結部１９ａ´と左側部錘部材２０´の雄型連結部２６´とを連結させると共に、中央錘部材１０´の右側縁部１０ｂ´の雌型連結部１９ｂ´と右側部錘部材３０´の雄型連結部３６´とを連結させ、入浴介助補助具１´の全体形状を長方形状とさせた第１の連結態様と、図９に示すように、第１の連結態様とは左側部錘部材２０´及び右側部錘部材３０´の位置を逆にすることで、入浴介助補助具１´の全体形状を略Ｕ字状とさせた第２の連結態様とを任意に切り替えることが可能となる。
【００４０】
［他の代替例］
上述した第１及び第２実施形態に係る説明では、入浴介助補助具１，１´が３つの錘部材（中央錘部材１０、左側部錘部材２０及び右側部錘部材３０）で構成されるものとして説明したが、これに限定されず、４つ以上の錘部材によって入浴介助補助具を構成するものとしても良い。
【００４１】
また、上述した第１実施形態に係る説明では、左側部錘部材２０にループ状部材２８が設けられ、第２実施形態に係る説明では、左側部錘部材２０´及び右側部錘部材３０´にループ状部材２８´，３８´が設けられるものとして説明したが、これに限定されず、ループ状部材２８，２８´，３８´が設けられない構成としても良い。
【００４２】
さらに、上述した第１及び第２実施形態に係る説明では、中央錘部材１０，１０´、左側部錘部材２０，２０´及び右側部錘部材３０，３０´の裏地１４，２４，３４がメッシュ生地から形成されるものとして説明したが、これに限定されず、中央錘部材１０，１０´、左側部錘部材２０，２０´及び右側部錘部材３０，３０´に局所的にメッシュ部が設けられる構成としても良いし、メッシュ部が設けられない構成としても良い。
【００４３】
またさらに、上述した第１及び第２実施形態に係る説明では、中央錘部材１０，１０´が山部と谷部とが交互に連続した凸凹形状を有し、左側部錘部材２０，２０´及び右側部錘部材３０，３０´が中央錘部材１０，１０´よりも肉厚に形成されるものとして説明したが、これに限定されず、中央錘部材１０，１０´、左側部錘部材２０，２０´及び右側部錘部材３０，３０´の形状は、任意に変更することが可能である。
【００４４】
また、上述した第１実施形態に係る説明では、左側部錘部材２０の雄型連結部２６を右側部錘部材３０の雌型連結部３６に直接連結させることが可能に構成されるものとして説明したが、これに限定されず、左側部錘部材２０と右側部錘部材３０とを直接連結させることが不能な構成としても良い。
【００４５】
上記のような変形例が本発明の範囲に含まれることは、特許請求の範囲の記載から明らかである。
【符号の説明】
【００４６】
１，１´  入浴介助補助具、２  浴槽、６  被介護者（使用者）、１０，１０´  中央錘部材、２０，２０´  左側部錘部材（側部錘部材）、３０，３０´  右側部錘部材（側部錘部材）、４０  充填材
【図１】
0006588810.tif 000002
【図２】
0006588810.tif 000003
【図３】
0006588810.tif 000004
【図４】
0006588810.tif 000005
【図５】
0006588810.tif 000006
【図６】
0006588810.tif 000007
【図７】
0006588810.tif 000008
【図８】
0006588810.tif 000009
【図９】
0006588810.tif 000010